(57)【要約】【課題】特別な専用のリモコンや子機を必要とすることなく、一般仕様の例えば３路４路配線用スイッチなどの外部スイッチを用いて３路４路配線の利便性を実現すると共に、外部信号との相互動作を可能とする照明制御装置を提供する。【解決手段】照明制御装置１０は、照明器具１２０を制御する。照明制御装置１０は、第１入力端子Ｌと、第２入力端子Ｎと、検出端子Ｓと、検知回路２０と、電力供給部３０とを備える。検出端子Ｓは、外部スイッチを介して交流電源の他方の端子１１２に接続される。検知回路２０は、検出端子Ｓに接続される。検知回路２０は、第１入力端子Ｌの電圧または第２入力端子Ｎの電圧と検出端子Ｓの電圧とを比較する。電力供給部３０は、第１入力端子Ｌおよび第２入力端子Ｎに接続される。電力供給部３０は、検知回路２０が比較した結果に基づいて、照明器具１２０に電力を供給する。【選択図】図１
2016126864.tif 000002
【特許請求の範囲】
【請求項１】
照明器具を制御する照明制御装置であって、
交流電源の一方の端子に接続される第１入力端子と、
前記交流電源の他方の端子に接続される第２入力端子と、
外部スイッチを介して前記交流電源の他方の端子に接続される検出端子と、
前記検出端子に接続され、前記第１入力端子の電圧または前記第２入力端子の電圧と前記検出端子の電圧とを比較する検知回路と、
前記第１入力端子および前記第２入力端子に接続され、前記検知回路が比較した結果に基づいて、前記照明器具に電力を供給する電力供給部と
を備える、照明制御装置。
【請求項２】
前記電力供給部は、
前記第１入力端子と前記第２入力端子とに接続され、前記第１入力端子と前記第２入力端子との間の電圧を変換する電源回路と、
前記電源回路によって変換された電圧が入力され、前記照明器具に電力を供給する電力供給回路と、
前記電源回路によって変換された電圧が入力され、前記検知回路が比較した結果に基づいて前記電力供給回路を制御する制御部と
を有する、請求項１に記載の照明制御装置。
【請求項３】
前記検知回路が比較した結果に基づいて、前記照明器具が点灯から消灯に切り替わるように、または、前記照明器具が消灯から点灯に切り替わるように、前記制御部は前記電力供給回路を制御する、請求項２に記載の照明制御装置。
【請求項４】
請求項１から請求項３のいずれか１項に記載の照明制御装置と、
前記交流電源および前記検出端子に接続される外部スイッチと、
前記照明制御装置と接続される前記照明器具と
を備える、照明システム。
【請求項５】
前記外部スイッチを切り替えることによって、前記検出端子が前記交流電源と導通する導通状態と、前記検出端子が前記交流電源と非導通である非導通状態とのいずれかに切り替えられ、
前記検知回路は、前記第１入力端子の電圧または前記第２入力端子の電圧と前記検出端子の電圧とを比較し、前記導通状態から前記非導通状態への切り替え、または、前記非導通状態から前記導通状態への切り替えが行われたことを検知する、請求項４に記載の照明システム。
【請求項６】
前記照明器具は
前記照明制御装置に接続される第１照明端子と、
第２照明端子と
を有し、
前記交流電源の一方の端子または他方の端子に接続される配線を、前記第１入力端子または前記第２入力端子に接続される配線、および、前記第２照明端子に接続される配線に分配する分配器をさらに備える、請求項４または請求項５に記載の照明システム。
【発明の詳細な説明】
【技術分野】
【０００１】
本発明は、照明制御装置および照明システムに関する。
【背景技術】
【０００２】
従来から、天井または壁などに取り付けられた照明器具を、ライトコントローラによって遠隔制御する照明システムが知られている。特許文献１に記載の照明システムは、ライトコントローラとリモコンとを備える。特許文献１に記載の照明システムでは、リモコンを用いない場合でも、リモコン蛍光灯器具の点灯状態を変更することが可能である。
【０００３】
このように、複数台の照明器具を同時制御することや、複数台の照明器具の組み合わせを複数組組み合わせて、同時に遠隔操作するための照明システム用ライトコントローラは周知である。ライトコントローラのボタンおよび専用リモコンによって、種類の違う光源を持った器具と異なる制御方法を用いた照明器具の複数組の同時遠隔操作を可能としている。
【先行技術文献】
【特許文献】
【０００４】
【特許文献１】特開２００９−２６６５６０号公報
【発明の概要】
【発明が解決しようとする課題】
【０００５】
また、ライトコントローラに加えて、ライトコントローラと電源との接続を切り替える外部スイッチ（例えば、壁スイッチ）を設けることがある。この場合、外部スイッチとして３路４路仕様のスイッチを採用することで、外部スイッチとライトコントローラに備わるスイッチとで相互に電源の入り切りは可能であるが、外部スイッチの操作で電源が切られているときはライトコントローラ自体の制御回路が通電オフ状態となるため、外部スイッチ以外のリモコンや通信端子などからの信号によりライトコントローラをオンにすることができなかった。
【０００６】
本発明は上記課題に鑑みてなされたものであり、その目的は、特別な専用のリモコンや子機を必要とすることなく、一般仕様の例えば３路４路配線用スイッチなどの外部スイッチを用いて３路４路配線の利便性を実現すると共に、外部信号との相互動作を可能とする照明制御装置および照明システムを提供することにある。
【課題を解決するための手段】
【０００７】
本願に開示する照明制御装置は、照明器具を制御する。前記照明制御装置は、第１入力端子と、第２入力端子と、検出端子と、検知回路と、電力供給部とを備える。前記第１入力端子は、交流電源の一方の端子に接続される。前記第２入力端子は、前記交流電源の他方の端子に接続される。前記検出端子は、外部スイッチを介して前記交流電源の他方の端子に接続される。前記検知回路は、前記検出端子に接続される。前記検知回路は、前記第１入力端子の電圧または前記第２入力端子の電圧と前記検出端子の電圧とを比較する。前記電力供給部は、前記第１入力端子および前記第２入力端子に接続される。前記電力供給部は、前記検知回路が比較した結果に基づいて、前記照明器具に電力を供給する。
【０００８】
本願に開示する照明制御装置において、前記電力供給部は、電源回路と、電力供給回路と、制御部とを有することが好ましい。前記電源回路は、前記第１入力端子と前記第２入力端子とに接続されることが好ましい。前記電源回路は、前記第１入力端子と前記第２入力端子との間の電圧を変換することが好ましい。前記電力供給回路は、前記電源回路によって変換された電圧が入力されることが好ましい。前記電力供給回路は、前記照明器具に電力を供給することが好ましい。前記制御部は、前記電源回路によって変換された電圧が入力されることが好ましい。前記制御部は、前記検知回路が比較した結果に基づいて前記電力供給回路を制御することが好ましい。
【０００９】
本願に開示する照明制御装置において、前記検知回路が比較した結果に基づいて、前記照明器具が点灯から消灯に切り替わる、または、前記照明器具が消灯から点灯に切り替わるように、前記制御部は前記電力供給回路を制御することが好ましい。
【００１０】
本願に開示する照明システムは、上記に記載の照明制御装置と、外部スイッチと、照明器具とを備える。前記外部スイッチは、前記交流電源および前記検出端子に接続される。前記照明器具は、前記照明制御装置と接続される。
【００１１】
本願に開示する照明システムにおいて、前記外部スイッチを切り替えることによって、前記検出端子が前記交流電源と導通する導通状態と、前記検出端子が前記交流電源と非導通である非導通状態とのいずれかに切り替えられることが好ましい。前記検知回路は、前記第１入力端子の電圧または前記第２入力端子の電圧と前記検出端子の電圧とを比較し、前記導通状態から前記非導通状態への切り替え、または、前記非導通状態から前記導通状態への切り替えが行われたことを検知することが好ましい。
【００１２】
本願に開示する照明システムにおいて、前記照明器具は、第１照明端子と、第２照明端子とを有することが好ましい。前記第１照明端子は、前記照明制御装置に接続されることが好ましい。前記照明システムは、前記交流電源の一方の端子または他方の端子に接続される配線を、前記第１入力端子または前記第２入力端子に接続される配線、および、前記第２照明端子に接続される配線に分配する分配器をさらに備えることが好ましい。
【発明の効果】
【００１３】
本発明によれば、外部スイッチ単独で照明器具の点灯および消灯の切り替えを制御することができる。
【図面の簡単な説明】
【００１４】
【図１】（ａ）および（ｂ）は、本発明の実施形態１に係る照明システムのブロック図である。
【図２】本発明の実施形態１に係る照明システムのブロック図である。
【図３】本発明の実施形態１に係る照明制御装置の動作を示す状態遷移図である。
【図４】本発明の実施形態１の第１変形例に係る照明システムのブロック図である。
【図５】本発明の実施形態１の第２変形例に係る照明システムのブロック図である。
【図６】本発明の実施形態１の第３変形例に係る照明システムのブロック図である。
【図７】本発明の実施形態２に係る照明システムのブロック図である。
【図８】本発明の実施形態３に係る照明システムのブロック図である。
【発明を実施するための形態】
【００１５】
以下、本発明の実施形態について、図面を参照しながら説明する。なお、図中、同一または相当部分については同一の参照符号を付して説明を繰り返さない。
【００１６】
［実施形態１］
図１を参照して、本発明の実施形態１に係る照明システム１００について説明する。図１（ａ）および図１（ｂ）は、本発明の実施形態１に係る照明システム１００のブロック図である。
【００１７】
照明システム１００は、照明制御装置１０と、外部スイッチｓｗ１と、照明器具１２０とを備える。
【００１８】
照明器具１２０は、例えば、ペンダントライトのような吊下げ灯、シーリングライトのような天井直付け灯、ダウンライトのような埋め込み灯またはブラケットライトのような壁直付け灯である。照明器具１２０は、照明制御装置１０の内部スイッチまたは外部スイッチｓｗ１を切り替えることによって、点灯および消灯を切り替えることができる。照明器具１２０は、第１照明端子１２１と第２照明端子１２２とを有する。第１照明端子１２１は、照明制御装置１０に接続される。第２照明端子１２２は、第２入力端子Ｎに接続される。
【００１９】
照明制御装置１０は、照明器具１２０を制御する。照明制御装置１０は、交流電源１１０に接続される。交流電源１１０は、端子１１１および端子１１２を有する。照明制御装置１０は、第１入力端子Ｌと、第２入力端子Ｎと、検出端子Ｓと、検知回路２０と、電力供給部３０とを備える。
【００２０】
第１入力端子Ｌは、交流電源１１０の端子１１１（一方の端子）に接続される。第１入力端子Ｌは、ライブ端子であり、交流電源１１０の非接地側である端子１１１に接続される。第２入力端子Ｎは、ニュートラル端子であり、交流電源１１０の接地側である端子１１２（他方の端子）に接続される。
【００２１】
検出端子Ｓは、外部スイッチｓｗ１を介して交流電源１１０の端子１１２に接続される。
【００２２】
外部スイッチｓｗ１は、交流電源１１０および検出端子Ｓに接続される。外部スイッチｓｗ１は、単極スイッチである。外部スイッチｓｗ１を切り替えることによって、検出端子Ｓが交流電源１１０と導通する導通状態（図１（ａ）参照）と、検出端子Ｓが交流電源１１０と非導通である非導通状態（図１（ｂ）参照）とのいずれかに切り替えられる。
【００２３】
検知回路２０は、検出端子Ｓに接続される。検知回路２０は、第１入力端子Ｌの電圧または第２入力端子Ｎの電圧と検出端子Ｓの電圧とを比較する。本実施形態では、検知回路２０は、第１入力端子Ｌの電圧と検出端子Ｓの電圧とを比較する。例えば、検出端子Ｓが導通状態である場合、第１入力端子Ｌの電圧と検出端子Ｓの電圧の差は、およそ１００Ｖとなる。
【００２４】
検知回路２０は、第１入力端子Ｌの電圧と検出端子Ｓの電圧との差が規定の閾値を超えるか否かで、検出端子Ｓが導通状態および非導通状態のいずれであるかを検知することが好ましい。具体的には、図１（ａ）に示すように、検出端子Ｓが導通状態である場合、検出端子Ｓの電圧は、第２入力端子Ｎとの電圧とほぼ同電位となる。したがって、第１入力端子Ｌの電圧と検出端子Ｓの電圧との差が大きくなり規定の閾値を超えるため、検知回路２０は検出端子Ｓが導通状態であると検知する。一方、図１（ｂ）に示すように、検出端子Ｓが非導通状態である場合、検出端子Ｓの電圧は、第２入力端子Ｎよりも高くなる。例えば、検出端子Ｓの電圧は、所定の電圧でプルアップされる。したがって、第１入力端子Ｌの電圧と検出端子Ｓの電圧との差が小さくなり規定の閾値を超えないため、検知回路２０は外部スイッチｓｗ１の状態が非導通状態であると検知する。
【００２５】
ユーザーが、外部スイッチｓｗ１によって照明器具１２０を消灯から点灯に切り替える場合は、検出端子Ｓが非導通状態から導通状態、または、検出端子Ｓが導通状態から非導通状態に切り替わる。検知回路２０は、検出端子Ｓが非導通状態から導通状態、または、検出端子Ｓが導通状態から非導通状態に切り替わった場合、検出端子Ｓの状態が切り替わったことを示す切替信号を電力供給部３０に出力する。
【００２６】
同様に、ユーザーが、外部スイッチｓｗ１によって照明器具１２０を点灯から消灯に切り替える場合も、検出端子Ｓが非導通状態から導通状態、または、検出端子Ｓが導通状態から非導通状態に切り替わる。検知回路２０は、検出端子Ｓが非導通状態から導通状態、または、検出端子Ｓが導通状態から非導通状態に切り替わった場合、検出端子Ｓの状態が切り替わったことを示す切替信号を電力供給部３０に出力する。
【００２７】
電力供給部３０は、第１入力端子Ｌおよび第２入力端子Ｎに接続される。電力供給部３０は、検知回路２０が比較した結果に基づいて、照明器具１２０に電力を供給する。具体的には、検知回路２０が出力した切替信号が電力供給部３０に入力された際、電力供給部３０は、照明器具１２０が点灯から消灯に切り替わる、または、照明器具１２０が消灯から点灯に切り替わるように、照明器具１２０に電力を供給する。
【００２８】
図１および図２を参照して、照明制御装置１０の電力供給部３０について説明する。図２は、本発明の実施形態１に係る照明システム１００のブロック図である。
【００２９】
電力供給部３０は、電源回路３２と、電力供給回路３６と、制御部３４と、内部スイッチ３８とを有する。
【００３０】
電源回路３２は、第１入力端子Ｌと第２入力端子Ｎとに接続される。電源回路３２は、第１入力端子Ｌと第２入力端子Ｎとの間の電圧を変換する。具体的には、電源回路３２は、第１入力端子Ｌと第２入力端子Ｎとの間の１００Ｖの交流電圧を、５Ｖの直流電圧に変換する。
【００３１】
電力供給回路３６には、電源回路３２によって変換された電圧が入力される。電力供給回路３６は、照明器具１２０に電力を供給する。照明器具１２０は、電力供給回路３６から供給された電力で点灯する。
【００３２】
制御部３４は、例えば、ＣＰＵ（Ｃｅｎｔｒａｌ  Ｐｒｏｃｅｓｓｉｎｇ  Ｕｎｉｔ）および制御回路を有する。制御部３４には、電源回路３２によって変換された電圧が入力される。制御部３４は、検知回路２０が比較した結果に基づいて電力供給回路３６を制御する。具体的には、検知回路２０が出力した切替信号が制御部３４に入力された際、制御部３４は電力供給回路３６を制御する。電力供給回路３６は、照明器具１２０が点灯から消灯に切り替わるように、または、照明器具１２０が消灯から点灯に切り替わるように、照明器具１２０に電力を供給する。また、制御部３４は、ユーザーによって設定された光量および光色で照明器具１２０が点灯するように電力供給回路３６を制御することが好ましい。
【００３３】
内部スイッチ３８は、例えば、照明制御装置１０に設けられたオン／オフボタンである。内部スイッチ３８を押下することによって、照明器具１２０の点灯および消灯が切り替わる。
【００３４】
図１〜図３を参照して、本発明の実施形態１に係る照明制御装置１０の動作について説明する。図３は、本発明の実施形態１に係る照明制御装置１０の動作を示す状態遷移図である。
【００３５】
点灯状態において、内部スイッチ３８がＯＦＦされると、照明器具１２０は、点灯状態から消灯状態に切り替わる。
【００３６】
消灯状態において、内部スイッチ３８がＯＮされると、照明器具１２０は、消灯状態から点灯状態に切り替わる。
【００３７】
点灯状態において、外部スイッチｓｗ１を切り替えることによって、検出端子Ｓが非導通状態（図１（ｂ）参照）から導通状態（図１（ａ）参照）に切り替えられた場合、照明器具１２０は、点灯状態から消灯状態に切り替わる。また、点灯状態において、外部スイッチｓｗ１を切り替えることによって、検出端子Ｓが導通状態から非導通状態に切り替えられた場合、照明器具１２０は、点灯状態から消灯状態に切り替わる。
【００３８】
消灯状態において、外部スイッチｓｗ１を切り替えることによって、検出端子Ｓが非導通状態（図１（ｂ）参照）から導通状態（図１（ａ）参照）に切り替えられた場合、照明器具１２０は、消灯状態から点灯状態に切り替わる。また、消灯状態において、外部スイッチｓｗ１を切り替えることによって、検出端子Ｓが導通状態から非導通状態に切り替えられた場合、照明器具１２０は、消灯状態から点灯状態に切り替わる。
【００３９】
このように、照明制御装置１０は、内部スイッチ３８または外部スイッチｓｗ１を切り替えることによって、照明器具１２０の点灯および消灯を切り替えることができる。
【００４０】
以上、図１〜図３を参照して説明したように、照明制御装置１０において、検知回路２０は、第１入力端子Ｌの電圧と検出端子Ｓの電圧とを比較する。電力供給部３０は、検知回路２０が比較した結果に基づいて、照明器具１２０に電力を供給する。したがって、検知回路２０が検出端子Ｓの電圧の変化を検知することによって、外部スイッチｓｗ１の切り替わりを検知することができる。その結果、外部スイッチｓｗ１単独で照明器具１２０の点灯および消灯の切り替えを制御することができる。このため、照明制御装置１０は、特別な専用のリモコンや子機を必要とすることなく、一般仕様の例えば３路４路配線用スイッチなどの外部スイッチｓｗ１を用いて３路４路配線の利便性を実現すると共に、外部信号との相互動作を可能とする。
【００４１】
また、検知回路２０は、第１入力端子Ｌの電圧と検出端子Ｓの電圧との差と、規定の閾値とを比較することが好ましい。規定の閾値と比較することによって、適切に外部スイッチｓｗ１が切り替わったことを検知することができる。
【００４２】
［第１変形例］
図４を参照して、本発明の実施形態１の第１変形例に係る照明システム１００について説明する。図４は、本発明の実施形態１の第１変形例に係る照明システム１００のブロック図である。図１（ａ）および図１（ｂ）を参照して説明した照明システム１００と重複する部分については説明を省略する。
【００４３】
図１（ａ）および図１（ｂ）を参照して説明した照明システム１００は、外部スイッチｓｗ１を１つ備えていたが、図４に示す照明システム１００は、外部スイッチを２つ備える。具体的には、照明システム１００は、照明制御装置１０と、外部スイッチｓｗ２と、外部スイッチｓｗ３と、照明器具１２０とを備える。
【００４４】
外部スイッチｓｗ２および外部スイッチｓｗ３は、３路スイッチである。外部スイッチｓｗ２または外部スイッチｓｗ３のいずれかを切り替えることによって、検出端子Ｓは、導通状態または非導通状態のいずれかに切り替えられる。電力供給部３０は、検知回路２０が比較した結果に基づいて、照明器具１２０に電力を供給する。したがって、外部スイッチｓｗ２および外部スイッチｓｗ３のいずれか一方を切り替えることによって、照明器具１２０の点灯および消灯を切り替えることができる。複数の外部スイッチによって照明の点灯および消灯を切り替えることができるため、照明システム１００は、広いスペース、または、複数階にわたるスペースに好適に用いることができる。
【００４５】
［第２変形例］
図５を参照して、本発明の実施形態１の第２変形例に係る照明システム１００について説明する。図５は、本発明の実施形態１の第２変形例に係る照明システム１００のブロック図である。図１（ａ）および図１（ｂ）を参照して説明した照明システム１００と重複する部分については説明を省略する。図５に示す照明システム１００は、照明制御装置１０と、外部スイッチｓｗ４と、照明器具１２０とを備える。
【００４６】
外部スイッチｓｗ４は、３路スイッチである。検出端子Ｓは、電源回路３２に接続される。外部スイッチｓｗ４は、第２入力端子Ｌおよび検出端子Ｓの少なくとも一方が、交流電源１１０の端子１１１と導通可能とすることが好ましい。電源回路３２には、第２入力端子Ｌおよび検出端子Ｓのいずれか一方から交流電源１１０の電力が印加される。外部スイッチｓｗ４を切り替えることによって、検出端子Ｓは、導通状態または非導通状態のいずれかに切り替えられる。電力供給部３０は、検知回路２０が比較した結果に基づいて、照明器具１２０に電力を供給する。したがって、外部スイッチｓｗ４を切り替えることによって、照明器具１２０の点灯および消灯を切り替えることができる。
【００４７】
［第３変形例］
図６を参照して、本発明の実施形態１の第３変形例に係る照明システム１００について説明する。図６は、本発明の実施形態１の第３変形例に係る照明システム１００のブロック図である。図１（ａ）および図１（ｂ）を参照して説明した照明システム１００と重複する部分については説明を省略する。図６に示す照明システム１００は、照明制御装置１０と、外部スイッチｓｗ５と、外部スイッチｓｗ６と、照明器具１２０とを備える。
【００４８】
外部スイッチｓｗ５は、４路スイッチである。外部スイッチｓｗ６は、３路スイッチである。外部スイッチｓｗ５は、第２入力端子Ｌおよび検出端子Ｓの少なくとも一方が、交流電源１１０の端子１１１と導通することが好ましい。外部スイッチｓｗ５または外部スイッチｓｗ６のいずれかを切り替えることによって、検出端子Ｓは、導通状態または非導通状態のいずれかに切り替えられる。電力供給部３０は、検知回路２０が比較した結果に基づいて、照明器具１２０に電力を供給する。したがって、外部スイッチｓｗ５および外部スイッチｓｗ６のいずれか一方を切り替えることによって、照明器具１２０の点灯および消灯を切り替えることができる。
【００４９】
［実施形態２］
図７を参照して、本発明の実施形態２に係る照明システム１００について説明する。図７は、本発明の実施形態２に係る照明システム１００のブロック図である。図２を参照して説明した照明システム１００と重複する部分については説明を省略する。
【００５０】
図２を参照して説明した照明システム１００では、電力供給回路３６は１つであったが、図７に示す照明システム１００では、電力供給回路３６は４つである。
【００５１】
照明システム１００は、照明制御装置１０と、外部スイッチｓｗ７と、複数の照明器具１２０（照明器具１２０ａ、照明器具１２０ｂ、照明器具１２０ｃおよび照明器具１２０ｄ）とを備える。照明制御装置１０は、第１入力端子Ｌと、第２入力端子Ｎと、検出端子Ｓと、検知回路２０と、電力供給部３０と、複数の第１出力端子と、複数の第２出力端子と、分配器５０とを備える。複数の第１出力端子は、第１出力端子Ｌ１、第１出力端子Ｌ２、第１出力端子Ｌ３および第１出力端子Ｌ４を含む。複数の第２出力端子は、第２出力端子Ｎ１、第２出力端子Ｎ２、第２出力端子Ｎ３および第２出力端子Ｎ４を含む。本実施形態では、第２入力端子Ｎは、ニュートラル端子であり、交流電源１１０の接地側である端子１１２に接続される。第１入力端子Ｌは、交流電源１１０の端子１１１に接続される。第１入力端子Ｌは、ライブ端子であり、交流電源１１０の非接地側である端子１１１に接続される。
【００５２】
電力供給部３０は、電源回路３２と、複数の電力供給回路３６と、制御部３４と、内部スイッチ３８とを有する。複数の電力供給回路３６は、第１電力供給回路３６ａ、第２電力供給回路３６ｂ、第３電力供給回路３６ｃおよび第４電力供給回路３６ｄを含む。照明制御装置１０は、複数の照明器具１２０を制御する。複数の照明器具１２０は、照明器具１２０ａ、照明器具１２０ｂ、照明器具１２０ｃおよび照明器具１２０ｄを含む。
【００５３】
第１出力端子Ｌ１、第１出力端子Ｌ２、第１出力端子Ｌ３および第１出力端子Ｌ４はそれぞれ、第１電力供給回路３６ａの出力、第２電力供給回路３６ｂの出力、第３電力供給回路３６ｃの出力および第４電力供給回路３６ｄの出力に接続される。また、第１出力端子Ｌ１、第１出力端子Ｌ２、第１出力端子Ｌ３および第１出力端子Ｌ４はそれぞれ、照明器具１２０ａの第１照明端子１２１ａ、照明器具１２０ｂの第１照明端子１２１ｂ、照明器具１２０ｃの第１照明端子１２１ｃおよび照明器具１２０ｄの第１照明端子１２１ｄに接続される。
【００５４】
第２出力端子Ｎ１、第２出力端子Ｎ２、第２出力端子Ｎ３および第２出力端子Ｎ４はそれぞれ、照明器具１２０ａの第２照明端子１２２ａ、照明器具１２０ｂの第２照明端子１２２ｂ、照明器具１２０ｃの第２照明端子１２２ｃおよび照明器具１２０ｄの第２照明端子１２２ｄに接続される。
【００５５】
分配器５０は、例えば、配線用ジョイントボックスである。分配器５０は、配線ｎ６を配線ｎ５、配線ｎ１、配線ｎ２、配線ｎ３および配線ｎ４に分配する。配線ｎ６は、第１入力端子Ｎに接続される。配線ｎ５は電源回路３２に接続される。配線ｎ１、配線ｎ２、配線ｎ３、配線ｎ４のそれぞれは、第２出力端子Ｎ１、第２出力端子Ｎ２、第２出力端子Ｎ３、第２出力端子Ｎ４に接続される。
【００５６】
本実施形態では、検知回路２０は、第１入力端子Ｌの電圧と検出端子Ｓの電圧とを比較する。例えば、検出端子Ｓが導通状態である場合、第１入力端子Ｌの電圧と検出端子Ｓの電圧の差は、およそ１００Ｖとなる。
【００５７】
制御部３４は、検知回路２０が比較した結果に基づいて第１電力供給回路３６ａ、第２電力供給回路３６ｂ、第３電力供給回路３６ｃおよび第４電力供給回路３６ｄを制御する。制御部３４は、照明器具１２０ａ〜１２０ｄが異なる光量および光色で点灯するように、第１電力供給回路３６ａ、第２電力供給回路３６ｂ、第３電力供給回路３６ｃおよび第４電力供給回路３６ｄを制御してもよい。
【００５８】
以上、図７を参照して説明したように、照明制御装置１０は、電力供給回路３６を複数備え、複数の照明器具１２０を制御する。したがって、複数の照明器具１２０を一括して制御することができる。また、複数の照明器具１２０のそれぞれを、異なる光量および光色で点灯するように制御することができる。
【００５９】
また、照明制御装置１０は、分配器５０を備える。したがって、交流電源１１０の端子に接続される配線を、電源回路３２に接続される配線と照明器具１２０に接続される配線とに分配することができる。したがって、交流電源１１０に接続される端子の数を少なくすることができる。
【００６０】
［実施形態３］
図８を参照して、本発明の実施形態３に係る照明システム１００について説明する。図８は、本発明の実施形態３に係る照明システム１００のブロック図である。図７を参照して説明した照明システム１００と重複する部分については説明を省略する。
【００６１】
図７を参照して説明した照明システム１００では、分配器５０は照明制御装置１０が備えていたが、図８に示す照明システム１００では、分配器５０は照明制御装置１０の外部に設けられる。
【００６２】
照明システム１００は、照明制御装置１０と、外部スイッチｓｗ８と、複数の照明器具１２０（照明器具１２０ａ、照明器具１２０ｂ、照明器具１２０ｃおよび照明器具１２０ｄ）と、分配器５０とを備える。
【００６３】
分配器５０は、配線ｎ６を、配線ｎ５、配線ｎ１、配線ｎ２、配線ｎ３および配線ｎ４に分配する。配線ｎ６は、交流電源１１０の端子１１２に接続される。配線ｎ５は、第１入力端子Ｎに接続される。配線ｎ１、配線ｎ２、配線ｎ３、配線ｎ４のそれぞれは、第２照明端子１２２ａ、第２照明端子１２２ｂ、第２照明端子１２２ｃ、第２照明端子１２２ｄに接続される。
【００６４】
以上、図８を参照して説明したように、照明システム１００において、照明制御装置１０の外部に分配器５０を備える。したがって、交流電源１１０の端子に接続される配線を、照明制御装置１０に接続される配線と照明器具１２０に接続される配線とに分配することができる。したがって、交流電源１１０に接続される配線の数を少なくすることができる。
【００６５】
以上、図面（図１〜図８）を参照しながら本発明の実施形態を説明した。但し、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００６６】
（１）図１〜図８を参照して説明したように、本実施形態では、照明システム１００は外部スイッチを１つまたは２つ備えていたがこれに限定されない。例えば、照明システム１００は３つ以上の外部スイッチを備えてもよい。
【００６７】
（２）図１〜図８を参照して説明したように、本実施形態では、照明制御装置１０が制御する照明器具１２０は１つまたは４つであったがこれに限定されない。例えば、照明制御装置１０が制御する照明器具１２０は２つ、３つまたは５つ以上であってもよい。
【００６８】
（３）図１〜図８を参照して説明したように、本実施形態では、検知回路２０は、第１入力端子と検出端子とを比較していたがこれに限定されない。例えば、検知回路２０は、第２入力端子と検出端子とを比較してもよい。
【符号の説明】
【００６９】
１０      照明制御装置
２０      検知回路
３０      電力供給部
３２      電源回路
３４      制御部
３６      電力供給回路
３６ａ    第１電力供給回路
３６ｂ    第２電力供給回路
３６ｃ    第３電力供給回路
３６ｄ    第４電力供給回路
３８      内部スイッチ
５０      分配器
１００    照明システム
１１０    交流電源
１１１    端子
１１２    端子
１２０、１２０ａ、１２０ｂ、１２０ｃ、１２０ｄ    照明器具
１２１、１２１ａ、１２１ｂ、１２１ｃ、１２１ｄ    第１照明端子
１２２、１２２ａ、１２２ｂ、１２２ｃ、１２２ｄ    第２照明端子
Ｌ、Ｎ      第１入力端子
Ｌ、Ｎ      第２入力端子
Ｌ１、Ｌ２、Ｌ３、Ｌ４      第１出力端子
Ｎ１、Ｎ２、Ｎ３、Ｎ４      第２出力端子
Ｓ        検出端子
ｎ１、ｎ２、ｎ３、ｎ４、ｎ５、ｎ６      配線
ｓｗ１、ｓｗ２、ｓｗ３、ｓｗ４、ｓｗ５、ｓｗ６、ｓｗ７、ｓｗ８    外部スイッチ
【図１】
2016126864.tif 000003
【図２】
2016126864.tif 000004
【図３】
2016126864.tif 000005
【図４】
2016126864.tif 000006
【図５】
2016126864.tif 000007
【図６】
2016126864.tif 000008
【図７】
2016126864.tif 000009
【図８】
2016126864.tif 000010